(57)【要約】【課題】  ユーザが求める対象が全体の中で占める位置を容易に把握できるので、対象の選択が容易にできる検索システム、検索方法及びそのプログラムを提供する。【解決手段】  本発明の検索システムは、複数の対象における個々の対象に関する複数項目からなる情報を蓄積する情報記録手段と、外部からの検索要求時に前記情報のうち２種の項目からなる検索条件の入力を受けて当該検索条件に基づいて前記情報記録手段内の情報を検索して該当する対象を出力する検索手段と、前記各対象の位置情報を、前記２種の項目を軸とする二次元平面上に点状に表示する表示手段と、外部からの二次元平面の部分指定指示に基づいて、部分指定された位置に属する対象の情報のリストを表示する検索結果表示手段とを有する。【選択図】  図１
2008090567.tif 000002
【特許請求の範囲】
【請求項１】
複数の対象における個々の対象に関する複数項目からなる情報を蓄積する情報記録手段と、
外部からの検索要求時に前記情報のうち２種の項目からなる検索条件の入力を受けて当該検索条件に基づいて前記情報記録手段内の情報を検索して該当する対象を出力する検索手段と、
前記各対象の位置情報を、前記２種の項目を軸とする二次元平面上に点状に表示する表示手段と、
外部からの二次元平面の部分指定指示に基づいて、部分指定された領域に属する対象の情報のリストを表示する検索結果表示手段と
を有する検索システム。
【請求項２】
さらに付加条件の入力を受けて、付加された条件を加えて、前記二次元平面上の点状表示を変更して表示する変更表示手段を含む、請求項１に記載の検索システム。
【請求項３】
複数の対象における個々の対象に関する複数項目からなる情報を蓄積する情報記録ステップと、
外部からの検索要求時に前記情報のうち２種の項目からなる検索条件の入力を受けて当該検索条件に基づいて前記情報記録手段内の情報を検索して該当する対象を出力する検索ステップと、
前記各対象の位置情報を、前記２種の項目を軸とする二次元平面上に点状に表示する表示ステップと、
外部からの二次元平面の部分指定指示に基づいて、部分指定された位置に属する対象の情報のリストを表示する検索結果表示ステップと
を有する検索方法。
【請求項４】
さらに付加条件の入力を受けて、付加された条件を加えて、前記二次元平面上の点状表示を変更して表示する変更表示ステップを含む、請求項３に記載の検索方法。
【請求項５】
複数の対象から特定の対象を検索するコンピュータに用いられるコンピュータプログラムであって、
複数の対象における個々の対象に関する複数項目からなる情報を蓄積する情報記録処理と、
外部からの検索要求時に前記情報のうち２種の項目からなる検索条件の入力を受けて当該検索条件に基づいて前記情報記録手段内の情報を検索して該当する対象を出力する検索処理と、
前記各対象の位置情報を、前記２種の項目を軸とする二次元平面上に点状に表示する表示処理と、
外部からの二次元平面の部分指定指示に基づいて、部分指定された位置に属する対象の情報のリストを表示する検索結果表示処理と
をコンピュータに実行させるためのコンピュータプログラム。
【発明の詳細な説明】
【技術分野】
【０００１】
本発明は、多数の検索対象からユーザが所望の対象を容易に選択できる検索システム、検索方法及びそのプログラムに関する。
【背景技術】
【０００２】
近年のコンピュータシステムによる検索技術の向上により、ネットワークを介した株価情報・商品情報などの検索が日常的に行われている。しかし、ネットワークを介して得られる株価情報・商品情報は膨大であり、ユーザが希望をする対象の情報を得るのは容易ではない。例えば、検索結果は、通常は単数もしくは複数の数値データ若しくは順位データの昇順または降順での並べ替えた結果が表示されるに過ぎない。この場合に、ユーザが検索結果の特定の位置にある検索結果をみたい場合には、何度も頁をめくって所望の対象を探す必要がある。また、検索結果が羅列されるだけなので、検索結果の全体の分布が見えない。このため、検索結果中のユーザが必要とするスペックや価格帯が直感的にわからない。また、ユーザが求めようとする対象がありふれたものであるのか、特異なものであるのかについて容易の判断できない。
【０００３】
このような問題を解決するために、例えば、数値情報とユーザから入力された選択条件・重み付けとを用いて株式情報を得ることが試みられている（例えば、特許文献１、２参照）。また、商品情報の提供に当たり、商品提供者の優先度情報を入力しておくことが試みられている（例えば、特許文献３参照）。
【特許文献１】特開２００２−１４０５２４号公報
【特許文献２】特開２００１−９２８９８号公報
【特許文献３】特開２００６−１２１４４号公報
【発明の開示】
【発明が解決しようとする課題】
【０００４】
特許文献１に記載のシステムでは、ファクターごとに選択条件を入れて、選択された条件に基づいて該当する株式銘柄のリストを出力する。また、特許文献２に記載のシステムでは、クライアントが設定した重み付けに基づいて投資情報をランク付けしたリストを表示する。しかし、特許文献１、２に記載のシステムでは、ユーザが選択条件・重み付けなどを入力する必要がある。このため、ファクター値や株価を評価する数値の意味をよく知っている必要がある。また、該当銘柄のリストが表示されるだけなので、市場の中で数値情報がどのような範囲に広がっているのか、ユーザが容易に理解できない。また、特許文献１、２のシステムで一度の操作で得られる銘柄情報は、件数が多すぎるか、少なすぎる場合が多い。このため、適度な数の銘柄情報を得るまで、同様の作業を繰り返す必要がある。
【０００５】
特許文献３に記載のシステムでは、商品提供業者が指定した優先度が高い商品提供業者の商品情報が先に得られ、該当する商品がない場合に他の商品提供業者から商品情報を得る。しかし、通常、ユーザが商品を選択する場合、商品提供業者に基づいて商品を選択するわけではない。また、ユーザが求める商品は、各々の性能が一定水準を有するものを選択する。このような商品は、最低条件を組み合わせただけでは、絞りきれない。また、昇順、降順で並べた場合に、必要な商品は中間あたりに位置する。このため、必要な商品を見つけるまで何回も改ページを行う必要がある。
【０００６】
また、Ｗｅｂ検索を行う場合は、検索エンジンにより、序列の方法が異なる。例えば、有名企業や被リンク数の多いサイトを上位にするなどである。しかし、これでは、ユーザが求めるＷｅｂページを検索するのが容易ではない。
【０００７】
すなわち、本発明は、上記問題に鑑みなされたものであり、その目的は、ユーザが求める対象が全体の中で占める位置を容易に把握できるので、対象の選択が容易にできる検索システム、検索方法及びそのプログラムを提供することにある。
【課題を解決するための手段】
【０００８】
本発明の検索システムは、複数の対象における個々の対象に関する複数項目からなる情報を蓄積する情報記録手段と、外部からの検索要求時に前記情報のうち２種の項目からなる検索条件の入力を受けて当該検索条件に基づいて前記情報記録手段内の情報を検索して該当する対象を出力する検索手段と、前記各対象の位置情報を、前記２種の項目を軸とする二次元平面上に点状に表示する表示手段と、外部からの二次元平面の部分指定指示に基づいて、部分指定された位置に属する対象の情報のリストを表示する検索結果表示手段と
を有する。
【０００９】
本発明では、複数項目からなる情報を有する多数の検索対象を、前記複数の情報から２種の項目を選択して検索し、これらの対象を前記２種の項目を軸とする二次元平面上に点状に表示する。これにより、ユーザは、検索対象が全体でどのように分布しているのかが把握できる。また、２種の項目を用いて全ての対象を分類して配置する。これにより、２種の項目間における相関関係を視覚的に容易に把握できる。さらに、表示された表示画面の一部を選択すれば、その区画に属する株式銘柄、商品等の対象のリストが表示されるので、ユーザが求める対象の情報が容易に入手できる。
【００１０】
上記検索システムは、さらに付加条件の入力を受けて、付加された条件を加えて、前記二次元平面上の点状表示を変更して表示する変更表示手段を含むものであってもよい。
【００１１】
この構成によれば、（１）上記で得られた二次元平面上に点状の表示物の中から特定の領域を選択する、（２）上記２種の項目を示す軸のスケールを変更する、（３）上記で得られた二次元平面上に点状の表示物にさらに検索条件を付加した対象の情報を得ることなどができる。この結果、ユーザの求める検索結果を容易に得ることができる。
【００１２】
また、本発明の検索方法は、複数の対象における個々の対象に関する複数項目からなる情報を蓄積する情報記録ステップと、外部からの検索要求時に前記情報のうち２種の項目からなる検索条件の入力を受けて当該検索条件に基づいて前記情報記録手段内の情報を検索して該当する対象を出力する検索ステップと、前記各対象の位置情報を、前記２種の項目を軸とする二次元平面上に点状に表示する表示ステップと、外部からの二次元平面の部分指定指示に基づいて、部分指定された位置に属する対象の情報のリストを表示する検索結果表示ステップとを有する。
【００１３】
上記検索方法は、さらに付加条件の入力を受けて、付加された条件を加えて、前記二次元平面上の点状表示を変更して表示する変更表示ステップを含むものであってもよい。
【００１４】
本発明のコンピュータプログラムは、複数の対象から特定の対象を検索するコンピュータに用いられるコンピュータプログラムであって、複数の対象における個々の対象に関する複数項目からなる情報を蓄積する情報記録処理と、外部からの検索要求時に前記情報のうち２種の項目からなる検索条件の入力を受けて当該検索条件に基づいて前記情報記録手段内の情報を検索して該当する対象を出力する検索処理と、前記各対象の位置情報を、前記２種の項目を軸とする二次元平面上に点状に表示する表示処理と、外部からの二次元平面の部分指定指示に基づいて、部分指定された位置に属する対象の情報のリストを表示する検索結果表示処理とをコンピュータに実行させるためのコンピュータプログラムであってもよい。
【発明の効果】
【００１５】
本発明は、ユーザが求める対象が全体の中で占める位置を容易に把握でき、検索対象の特定が容易になるので、対象の選択が容易にできる検索システム、検索方法及びそのプログラムを提供する。
【発明を実施するための最良の形態】
【００１６】
以下に、本発明を、図面を用いて詳細に説明する。
【００１７】
（第１の実施形態）
［構成］
図１は、本発明にかかる検索システムの概略を示す図である。図１から明らかなように、この処理装置は、コンピュータ処理可能なデータが通信されるネットワーク１に接続され、このネットワーク１を介してホスト２から株価などの対象情報を収集する。ユーザ端末４は、ネットワーク１を介して処理装置にアクセスできるようになっている。本実施形態は、コンピュータを所定のプログラムで制御することにより実現され、方法、プログラム、クライアントシステムや通信ネットワークを含む全体システムとしても把握できる。
【００１８】
本発明におけるネットワーク１は、いわゆるインターネットを挙げることができるが、これ以外にも光通信、ＬＡＮ／ＷＡＮといった適切な通信プロトコルを用いる通信により遠隔的に情報を送受信することができるものであれば、いかなるネットワークでも用いることができる。この通信に用いることができる通信プロトコルとしては、例えばＴＣＰ／ＩＰといった通信プロトコルを用いることができるが、これに限定されるわけではない。
【００１９】
ユーザ端末４は、パーソナル・コンピュータ、モバイルコンピュータ、インターネットにアクセス可能な携帯電話、双方向テレビ、インターネット接続可能な家庭用ゲーム機などである。このユーザ端末４は、情報の提供を要求するための信号を、適切なブラウザ・ソフトウエアを介して検索システムへと送信する。各ユーザ端末４は、例えばパーソナル・コンピュータ（パソコン）、ＰＤＡなどで、有線や無線によるインターネット接続機能、ウェブページ閲覧用のブラウザ、メール送受信用のメーラー等のソフトウェアを備える。
【００２０】
処理装置３は、ネットワーク１に接続するルータなどの通信手段と、パーソナル・コンピュータ、ワークステーション、または汎用大型コンピュータを含む処理手段と、メモリ、ＨＤＤ、レジスタなどを含む記憶手段とを備える。
【００２１】
上記ネットワーク１は、このネットワーク１に検索対象に関する情報を配信するホスト２が１つ以上接続されている。例えば、検索対象に関する情報が株価の場合には、ホスト２は、所定の１以上の証券取引所側から所定の１以上の銘柄の株価情報を得て、この株価情報をネットワーク１上に配信する。上記ネットワーク上の各ホストは、ホストからの情報をネットワークを介して随時入手することができる。価格情報としては、全銘柄の日付、始値、終値、出来高、時価総額、最高値、最安値、現在値などである。
【００２２】
検索対象が商品である場合は、その商品の規格に用いられるもので、数値化されているものが利用できる。例えば、商品がパーソナル・コンピュータの場合は、値段、ＣＰＵ、ＨＤＤ、メモリ、バッテリー、重量などである。
【００２３】
[検索システムおよび検索方法]
以下の説明では、株式銘柄を検索する場合に基づいて説明する。図１に示すように、処理装置３は、各ホストから配信される各銘柄の株価情報を、コンピュータ処理可能なデータ（以下、「株価データ」という）として上記ネットワーク１経由でリアルタイムに取り込むため、およびユーザ端末４から情報の検索を要求するための信号と検索システムのデータと、検索条件を送受信するためのデータ通信部１１と、株式銘柄ごとの数値データを継続的に記憶し、検索条件を記憶している記憶部１３と、入力した検索条件と数値データとから、検索処理を行うための処理部１２とから構成される。また、ユーザ端末４は、検索結果を表示部１６に表示する形式に変換する変換部１５と、モニタ等の表示部１６とから構成される。処理装置３とユーザ端末４とは、例えば汎用的なコンピュータシステムにより構成される。図１に示す処理装置３およびユーザ端末４中の各構成要素または機能は、例えばコンピュータプログラムを実行することにより実現される。また、処理装置３の機能と、ユーザ端末４の機能とは、同一のコンピュータシステムによってもよいし、異なるコンピュータシステムによってもよい。
【００２４】
なお、一般的傾向として、コンピュータのオペレーティングシステムの一部として様々なプログラムモジュールを用意しておき、アプリケーションプログラムはこれらモジュールを所定の配列で必要な時に呼び出して処理を進める方式が一般的である。そうした場合、本発明の多変量数値情報表示システムを実現するためのソフトウェア自体にはそうしたモジュールは含まれず、当該コンピュータでオペレーティングシステムと協働してはじめて多変量数値情報表示システムが実現することになる。しかし、一般的なプラットフォームを使用する限り、そうしたモジュールを含ませたソフトウェアを流通させる必要はなく、それらモジュールを含まないソフトウェア自体およびそれらソフトウェアを記録した記録媒体（およびそれらソフトウェアがネットワーク上を流通する場合のデータ信号）が実施の形態を構成すると考えることができる。
【００２５】
図２は、本発明の検索方法を用いて検索結果の表示を行う場合のフローチャートである。本発明の検索方法において数値情報を表示するプロセスは、ステップＳ１において、適切なブラウザ・ソフトウエアを介してユーザ端末４のディスプレイ・スクリーン上に、本発明の検索方法の開始をユーザ端末に示すためのトップページを表示させる。ついで、ステップＳ２へと進んで、検索の開始を指示するデータ（開始データ）の項目を表示する。ついで、ステップＳ３において、ユーザは、開始データを入力する。入力された作成開示データは、ユーザ端末２から、処理手段へと送信され、この開始データを受信した処理手段は、所定の情報を用いて、ステップＳ４において検索データの分析を行う。ステップＳ５では、分析データに基づいて二次元情報がユーザ端末に返送され、ユーザ端末において、各対象の二次元位置情報が表示される。次に、ステップＳ６において、ユーザが二次元平面の一部をマウス操作などによって指定すると、部分指定情報が、処理手段に送信される。ステップＳ８において、処理手段は、部分指定された領域に属する対象の情報のリストを
当該部分指定された位置に属する対象の情報がユーザ端末に返送され、ユーザ端末において、各対象の部分指定された領域に属する対象の情報のリストが前記二次元位置情報の画面とは別の画面に表示される。
【００２６】
株式情報についての対象の位置情報を得る場合、例えば、開始データの項目から、株価収益率（ＰＥＲ）、株価純資産倍率（ＰＢＲ）、配当利回り、株主資本利益率（ＲＯＥ）、時価総額、今期経常利益変化率、過去３年平均売上高成長率、業績予想修正率、株価２５日移動平均からの乖離、株価２５週移動平均からの乖離、自己資本比率、株価変動率、一日平均売買代金など、数値で序列が得られるものから２種の項目を検索条件として選択する。
【００２７】
また、上記情報のリストは、各銘柄のより詳細な株価のデータ、あるいは銘柄による市場もしくは個別銘柄の会社のＷｅｂページなどにハイパーリンクなどによりリンクしていてもよい。各銘柄に対して所定のアクション（例えば、モニタ上で、カーソルを所定グループの枠に位置させてマウスを左クリックするなど）を行うことで、各銘柄などのより詳細な情報を容易に得ることができるように構成されている。
【００２８】
また、各個別銘柄などのより詳細な情報を得た後で、さらにいわゆるインターネット証券などにリンクする構成としてもよい。この構成によれば、情報を得たユーザが株式の売買を容易に行うことができる。
【００２９】
次に、処理装置３は、開始データを受理すると、検索処理を開始する。処理部１２は、選択された開始データに基づいて各対象の位置情報の表示に必要な銘柄の情報を記憶部１３側から引き出す。なお、記憶部１３と処理部１２とはデータ通信可能に接続されている。また、記憶部１３には、処理可能銘柄名が記憶されている。
【００３０】
記憶部１３は、ネットワーク１から得られた株価情報をＣＳＶ（Ｃｏｍｍａ  Ｓｅｐａｒａｔｅｄ  Ｖａｌｕｅ）ファイルまたはマルチユーザ・マルチスレッドのＳＱＬデータベース等に保存する。ネットワーク１から得られる株価情報としては、更新された株価、その日付、始値、終値、出来高、時価総額、株価指数、売買高、株価収益率、株価純資産倍率、値上り率、相対力指数などが挙げられる。
【００３１】
ユーザが各対象の位置情報を表示させるためには、上記の株価情報の中から、検索条件を２つ選択する。以下に、第１の条件が時価総額であり、第２の条件が株価の変動率である場合に、どのように各対象の位置情報が得られるかを一例として説明する。処理部１２は、複数の銘柄を、第１の条件を用いて、分類する。次に、処理部１２は、第１の条件により分類対象を第２の条件により分類する。なお、上記複数の条件は、記憶部１３に保存されている。指標の選択は、ユーザが表示部１６から選択することによって行う。これらの指標は、銘柄を順番付けするものであれば特に制限されない。
【００３２】
また、Ｗｅｂページの検索を行う場合にも本発明の検索方法を利用することができる。例えば、３個以上のキーワードで検索した場合に、複数のキーワードの中から選択した２つのキーワードをそれぞれ第１の条件と第２の条件にして分類して表示すればよい。また、３個以上のキーワードで検索した場合に、第１の検索エンジンを用いて得られた結果と、第２の検索エンジンを用いて得られた結果とを、第１の条件と第２の条件にして分類して表示するなどである。
【００３３】
処理部１２は、記憶部１３からグラフ作成に必要なパターンデータを受信し、各対象が全体平面のどこに属するかの表示データを作成する。作成された表示データは、データ通信部１１に送られる。データ通信部１１からユーザ端末４に送られた表示データは、通信部１４で受信され、変換部１５に送られる。変換部１５は、表示データに基づいてグラフを作成する。作成されたグラフは、表示部１６で２種の項目を軸とする二次元平面上に点状に表示される。すなわち、この時点では、各対象は点状で表されており、個々の対象の具体的な内容はわからない。図３は、上記処理で得られた各対象の位置情報の表示例を示す図である。図３の例では、１つの対象が１つのドットで示されているが、ドットの色を変えて複数の対象をまとめて１つのドットとしてもよい。この図の例では、各対象がドットで示されたもののみを示しているが、平均値を示すグラフなどを同時に示してもよい。
【００３４】
上記したように情報を検索する第１の条件と第２の条件は、ユーザが任意に選択することができる。
【００３５】
次に、ユーザが、中型の株で前日からの変化率が１０％前後上昇した銘柄を検索する場合には、図４に示すように、上記に次元平面の一部を部分指定する。この部分指定された範囲の情報は、処理装置に送られる。処理装置の処理部は、記憶部から部分指定された範囲に含まれる対象の情報を抽出し、対象リストを作成し、ユーザ端末に送信する。図５に示すように、ユーザ端末は、送信された対象リストを別画面で表示する。
【００３６】
（第２の実施形態）
この実施形態は、各対象が二次元平面に表示された状態からさらに絞り込んで検索を行うものである。商品の検索や、Ｗｅｂページの検索のように、他の検索条件を加味して検索を望む場合に特に有効である。以下の説明においては、第１の実施形態で説明した内容については、省略する。
【００３７】
図６は、各対象が二次元平面に表示された状態からさらに絞り込んで検索を行う場合のフローチャートである。ステップＳ１１〜Ｓ１５までは、図２のステップＳ１〜Ｓ５と共通するので省略する。ユーザ端末４の表示画面には、図７に示すようにノートパソコンを検索する二次元平面が表示されている（ステップＳ１５）。このような表示画面には、付加検索をするための選択条件のプルダウンメニュー、スケール変換キー・バー、あるいは製造メーカなどの対象提供者のリストなど、選択検索をするための画面が表示されている。なお、この図の例に拠らず、対象となる商品等によって、二次元平面表示画面は異なっている。ユーザは、この画面から絞込み検索をするための条件を選択する（ステップＳ１６）。この図の例では、Ｘ軸がＣＰＵの処理能力、Ｙ軸がＨＤＤの容量を示している。重量、バッテリーの使用時間など他の条件を付加することで、ＣＰＵの処理能力、ＨＤＤの容量以外の条件が付加された商品を容易に選択することができる。また、Ｘ軸、Ｙ軸のスケールを変えることにより、所望のスケールの位置にある対象の情報を拡大・縮小して得ることができる。さらに、Ｘ軸、Ｙ軸を逆にすることもできる。また、この図の例では、商品提供メーカの名前がリストされているので、ユーザが所望するメーカを選択して検索することもできる。図８は、図７の例から、製造メーカの一部を選択した例である。このようにメーカ等をリストアップすることにより、数値情報以外の検索を行うこともできる。
図９は、別な方法で条件を絞り込んだ各対象の位置情報の表示例を示す図である。この図には、画面上に第３の条件を入力する選択条件のプルダウンメニューが表示されている。図９の例では、図７のＣＰＵの処理能力とＨＤＤの容量とに、ノートパソコンの重量の条件を付加して検索した例を示している。
このように、本実施の形態の方法を用いると、ユーザは、全体の分布を確認しながら、絞り込んで検索することが可能となる。
【００３８】
次に、処理装置の通信部１１は、選択条件を受信すると、処理部１２は記憶部１３にから条件が付加された対象の二次元表示データを抽出し、二次元表示データがユーザ端末４に送信される。次に、ユーザ端末４の表示部１６は、受信した二次元表示データを表示する（ステップＳ１８）。対象の選択・リスト表示のステップＳ１８〜Ｓ１９までは、図２のステップＳ６〜Ｓ７と共通するので省略する。上記のようにして得られた検索結果から、ユーザが特定の範囲を指定すると、図１０に示すように、実施の形態１と同様に商品のリストを別ウィンドウで表示することができる。
【００３９】
なお、図２、図６に示す各ステップを実現するためのプログラムをコンピュータ読み取り可能な記録媒体に記録して、この記録媒体に記録されたプログラムをコンピュータシステムに読み込ませ、実行することによりテーブル監視処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４１】
【図１】図１は、本発明にかかる多変量数値情報の表示システムの概略を示す図である。
【図２】図２は、本発明の検索システムを行う場合のフローチャートである。
【図３】図３は、上記処理で得られた各対象の位置情報の表示例を示す図である。
【図４】図４は、上記処理で得られた各対象の位置情報の一部を部分指定した例を示す図である。
【図５】図５は、部分指定した範囲にある対象のリストを表示した例を示す図である。
【図６】図６は、各対象が二次元平面に表示された状態からさらに絞り込んで検索を行う場合のフローチャートである。
【図７】図７は、本発明の検索システムで得られた各対象の位置情報の別の表示例を示す図である。
【図８】図８は、図７に表示された画面をさらに別の条件で絞り込んだ各対象の位置情報の表示例を示す図である。
【図９】図９は、別な方法で条件を絞り込んだ各対象の位置情報の表示例を示す図である。
【図１０】図１０は、部分指定した範囲にある対象のリストを表示した例を示す図である。
【符号の説明】
【００４２】
１    ネットワーク
２    ホスト
３    処理装置
４    ユーザ端末
１１    データ通信部
１２    処理部
１３    記憶部
【図１】
2008090567.tif 000003
【図２】
2008090567.tif 000004
【図３】
2008090567.tif 000005
【図４】
2008090567.tif 000006
【図５】
2008090567.tif 000007
【図６】
2008090567.tif 000008
【図７】
2008090567.tif 000009
【図８】
2008090567.tif 000010
【図９】
2008090567.tif 000011
【図１０】
2008090567.tif 000012